(57)【要約】【課題】  磁石から生じた磁気により血行を促進するとともに、磁石を移動可能として変動磁場を形成させ広範囲の治療を可能としつつなれを回避することができ、且つ、長時間の使用によっても痛み等の違和感を生じさせず粘着を確実に維持することができる貼付用磁気治療器を提供する。【解決手段】  片面が粘着面２ａを成す粘着シート２と、該粘着シート２の粘着面２ａと反対の面２ｂから突設され、内部に閉塞空間Ｓを有したカプセル部３と、該カプセル部３の閉塞空間Ｓに移動可能に収容された磁石４とを有した貼付用磁気治療器１である。【選択図】図２
2006280788.tif 000002
【特許請求の範囲】
【請求項１】
片面が粘着面を成す粘着シートと、
該粘着シートの粘着面と反対の面から突設され、内部に閉塞空間を有したカプセル部と、
該カプセル部の閉塞空間に移動可能に収容された磁石と、
を有したことを特徴とする貼付用磁気治療器。
【請求項２】
前記粘着シートは、透明又は半透明シートから成ることを特徴とする請求項１記載の貼付用磁気治療器。
【請求項３】
前記カプセル部は、前記粘着シートよりも硬質の樹脂材から成ることを特徴とする請求項１又は請求項２記載の貼付用磁気治療器。
【発明の詳細な説明】
【技術分野】
【０００１】
本発明は、皮膚に貼付して用いられ、磁石から生じる磁気により血行を促進し種々効能を発揮し得る貼付用磁気治療器に関するものである。
【背景技術】
【０００２】
近時において、磁石が固定された絆創膏を皮膚に貼付し、当該磁石から生じる磁気により血行を促進させ、肩こりや腰痛などの症状を緩和させる貼付用磁気治療器が広く普及するに至っている。かかる貼付用磁気治療器は、磁石が絆創膏に固定されているため、使用時において常時、磁石が皮膚の特定位置に留まることとなり、効能を発揮し得る範囲が著しく狭くなるとともに、所謂なれが生じて効能が低減してしまうという不具合があった。
【０００３】
そこで従来、例えば特許文献１にて開示されているように、絆創膏の片面に小室体を突設させ、該小室体内において磁石を移動可能に収容させたものが提案されている。かかる従来の貼付用磁気治療器は、絆創膏の粘着層側に磁石を収容した小室体が突設されており、使用時に皮膚へ貼付すると、小室体内の磁石から生じた磁気により血行を促進するとともに、小室体が皮膚に食い込んで指圧マッサージ効果を奏するよう構成されている。そして、貼付箇所の動きに伴って小室体内の磁石が移動するので、変動磁場が形成され、比較的広い範囲に磁気を生じさせて血行を促進させることが可能とされるとともに、所謂なれが解消されて効能の低下を回避し得るものであった。
【特許文献１】特開２００３−１４４５５８号公報
【発明の開示】
【発明が解決しようとする課題】
【０００４】
しかしながら、上記従来の貼付用磁気治療器においては、絆創膏の粘着層側に小室体が形成されているため、小室体が皮膚に食い込んで指圧マッサージ効果を奏することができるものの、長時間使用した場合、皮膚に食い込んだ小室体による痛みが大きくなって違和感を感じてしまうという問題があった。また、小室体を皮膚に食い込ませる構成であるため、皮膚へ貼付した際、絆創膏の粘着面と皮膚との間に小室体が介在することとなり、当該粘着面と皮膚との間に隙間が生じて、長時間の粘着が維持されない虞があった。
【０００５】
本発明は、このような事情に鑑みてなされたもので、磁石から生じた磁気により血行を促進するとともに、磁石を移動可能として変動磁場を形成させ広範囲の治療を可能としつつなれを回避することができ、且つ、長時間の使用によっても痛み等の違和感を生じさせず粘着を確実に維持することができる貼付用磁気治療器を提供することにある。
【課題を解決するための手段】
【０００６】
請求項１記載の発明は、片面が粘着面を成す粘着シートと、該粘着シートの粘着面と反対の面から突設され、内部に閉塞空間を有したカプセル部と、該カプセル部の閉塞空間に移動可能に収容された磁石とを有したことを特徴とする。
【０００７】
請求項２記載の発明は、請求項１記載の貼付用磁気治療器において、前記粘着シートは、透明又は半透明シートから成ることを特徴とする。
【０００８】
請求項３記載の発明は、請求項１又は請求項２記載の貼付用磁気治療器において、前記カプセル部は、前記粘着シートよりも硬質の樹脂材から成ることを特徴とする。
【発明の効果】
【０００９】
請求項１の発明によれば、磁石をカプセル部の閉塞空間に移動可能に収容されたので、磁石から生じた磁気により血行を促進するとともに、磁石を移動可能として変動磁場を形成させ広範囲の治療を可能としつつなれを回避することができる。同時に、粘着シートの粘着面と反対の面からカプセル部を突設させたので、皮膚への貼付時、カプセル部が皮膚に食い込むことがなく、長時間の使用によっても痛み等の違和感を回避できるとともに、粘着面と皮膚との間の隙間をなくし、長時間に亘る粘着を維持させることができる。
【００１０】
請求項２の発明によれば、粘着シートが透明又は半透明シートから成るので、皮膚に貼付した際、皮膚が透けて見えることとなり、貼付用磁気治療器の視認を困難とすることができる。従って、貼付用磁気治療器の貼付を周囲に意識させることなく、磁気治療を行うことができる。
【００１１】
請求項３の発明によれば、カプセル部が粘着シートよりも硬質の樹脂材から成るので、内部の磁石を確実に収容させることができるとともに、貼付用磁気治療器全体を硬質樹脂としたものに比べ、粘着シート２を柔軟性を維持させることができ、皮膚への貼付性及び追随性を向上させることができる。
【発明を実施するための最良の形態】
【００１２】
以下、本発明の実施形態について図面を参照しながら具体的に説明する。
本実施形態に係る貼付用磁気治療器は、皮膚に貼付して磁石からの磁気により血行を促進させ、肩こりや腰痛などの症状を緩和させるためのものであり、図１及び図２に示すように、下面が粘着面２ａとされた粘着シート２と、該粘着シート２の上面に形成されたカプセル部３と、カプセル部３内に収容された磁石４とから構成されている。
【００１３】
粘着シート２は、平面視で正六角形とされたシート状の透明樹脂材から成り、例えば柔軟性に富んだ薄状フィルムとするのが好ましい。かかる粘着シート２は、その片面に予め粘着材を塗布して粘着面２ａとされているとともに、その反対側の面２ｂからはカプセル部３が突出形成されている。また、粘着シート２は、半透明のシート状樹脂材で構成するようにしてもよく、平面視の形状は正六角形の他、円形、楕円形若しくは他の多角形としてもよい。
【００１４】
カプセル部３は、磁石４を移動可能に収容するためのもので、例えばＰＥＴ（ポリエチレンテレフタレート樹脂）等から成る上層部材３ａと、例えばＰＥ（ポリエチレン樹脂）から成る下層部材３ｂと、例えばＰＥ（ポリエチレン樹脂）から成る封止部材３ｃとから主に構成されている。上層部材３ａは、粘着シート２より硬質な透明樹脂材から成り、収容する磁石４に適した大きさの円筒のドーム型に成形されたものである。
【００１５】
下層部材３ｂは、上層部材３ａの内側形状に倣って円筒のドーム型に成形されたもので、上層部材３ａの成形と同時に得られるものである。即ち、カプセル部３の上部は、上層部材３ａと下層部材３ｂの２層構造とされており、円筒のドーム型の下面が開口しつつ周囲に所定寸法のフランジ３ｄが形成された形状とされている。封止部材３ｃは、上層部材３ａと下層部材３ｂとが成すドーム型の下面開口を塞ぎ、内部に閉塞空間Ｓを形成するためのものである。
【００１６】
閉塞空間Ｓ内には磁石４（フェライト等の磁性体から成る永久磁石）が収容されており、当該閉塞空間Ｓは磁石４の大きさよりも若干大きく形成され、貼付用磁気治療器１を貼付した部位の動作に伴い、磁石４が移動し得るよう構成されている。上層部材３ａ、下層部材３ｂ及び封止部材３ｃは、何れも透明樹脂材から成り、外側から磁石を透視し得るようになっている。
【００１７】
尚、上層部材３ａと下層部材３ｂとが成すフランジ３ｄと封止部材３ｃとは、例えば超音波溶着や熱溶着などにより強固に接着され、内部の閉塞空間Ｓが略密閉空間とされている。しかして、磁石４の移動を円滑とすべく閉塞空間Ｓ内に気体を封入したり、或いは潤滑剤などを閉塞空間Ｓの周壁に塗布させることができる。また、下層部材３ｂと封止部材３ｃ、及び粘着シート２とが同一の材質で構成されているので、互いの溶着性が向上されている。
【００１８】
上記構成の貼付用磁気治療器１は、円筒のドーム型に成形された上層部材３ａ及び下層部材の下面開口から磁石４を挿入した後、当該下面開口を封止部材３ｃで封止し、これを粘着シート２の上面（粘着面２ａが形成された面とは反対の面２ｂ）に超音波溶着や熱溶着などにより接着させることにより製造される。尚、得られた貼付用磁気治療器１は、図３に示すように、剥離紙５に対して複数貼付される。
【００１９】
そして、使用時には、剥離紙５から所望の貼付用磁気治療器１を剥がし、磁気治療を行いたい患部近傍の皮膚に貼付する。そのとき、図４に示すように、カプセル部４は、皮膚Ｈとの粘着面２ａと反対側に突出した状態となるため、皮膚への食い込みが回避され、長時間使用においても違和感をなくすことができる。また、皮膚に食い込ませる従来のものは、カプセル部（小室体）が介在して皮膚と粘着面との間に隙間が生じてしまうのに対し、本実施形態のものによれば、粘着面２ａの略全域と皮膚Ｈとが密着するため、これらの間の隙間を防止し、粘着効果を長時間に亘って維持させることができる。
【００２０】
然るに、人が動いて皮膚Ｈが動作するのに伴い、磁石４が閉塞空間Ｓ内で移動するので、変動磁場を形成させ広範囲の治療を可能としつつなれを回避することができ、絆創膏に磁石が固定されたものに比べ、磁気治療効果を更に向上させることができる。また、粘着シート２が透明又は半透明シートから成るので、皮膚に貼付した際、皮膚が透けて見えることとなり、貼付用磁気治療器１の視認を困難とすることができる。従って、貼付用磁気治療器１の貼付を周囲に意識させることなく、磁気治療を行うことができる。
【００２１】
更に、カプセル部３が粘着シート２よりも硬質の樹脂材から成るので、内部の磁石４を確実に収容させることができるとともに、貼付用磁気治療器全体を硬質樹脂としたものに比べ、粘着シート２を柔軟性を維持させることができ、皮膚への貼付性及び追随性を向上させることができる。
【００２２】
以上、本実施形態について説明したが、本発明はこれに限定されるものではなく、例えばカプセル部３の下層部材３ｂを廃して１層構造としたり、或いは封止部材３ｃを廃して円筒のドーム型を直接粘着シート２に接着させるようにしてもよい。また、各構成要素の材質や寸法、形などは任意に変更することができる。更に、カプセル部３は、本実施形態の如く円筒のドーム型の他、収容する磁石４に応じた閉塞空間を有する矩形状のもの或いは楕円形のもの等とすることができる。
【産業上の利用可能性】
【００２３】
粘着シートの粘着面と反対の面からカプセル部が突設され、内部の閉塞空間に磁石を移動可能に収容した貼付用磁気治療器であれば、外観形状が異なるもの或いは他の機能や効能が付加されたものにも適用することができる。
【図面の簡単な説明】
【００２４】
【図１】本発明の実施形態に係る貼付用磁気治療器を示す上面図
【図２】図１におけるＩＩ−ＩＩ線断面図
【図３】同貼付用磁気治療器が剥離紙に貼付された状態を示す模式図
【図４】同貼付用磁気治療器を皮膚に貼付した状態を示す模式図
【符号の説明】
【００２５】
１    貼付用磁気治療器
２    粘着シート
２ａ  粘着面
３    カプセル部
４    磁石
５    剥離紙
Ｓ    閉塞空間
【図１】
2006280788.tif 000003
【図２】
2006280788.tif 000004
【図３】
2006280788.tif 000005
【図４】
2006280788.tif 000006